(57)【要約】      （修正有）【課題】低ＴＴＬ（光学レンズ全長）と広角の要求を満たすと共に、部材のセンシティブを低減することができる撮像光学レンズを提供する。【解決手段】物体側から、絞りＳｔと、正屈折力を有する第１のレンズＬ１と、負屈折力を有する第２のレンズＬ２と、正屈折力を有する第３のレンズＬ３と、正屈折力を有する第４のレンズＬ４と、負屈折力を有する第５のレンズＬ５とを備え、前記第１のレンズと第２のレンズの組合せ焦点距離はｆ１２であり、前記第３のレンズの焦点距離はｆ３であり、撮像光学レンズ全体の光学全長はＴＴＬであり、撮像光学レンズ全体の像高はＩＨであり、前記第３のレンズの物体側面の曲率半径はｒ５であり、前記第３のレンズの像側面の曲率半径はｒ６であり、以下の関係式を満たす。５３＜ｆ３／ｆ１２＜６８、ＴＴＬ／ＩＨ＜１．４、０．９５＜ｒ５／ｒ６＜１．１、ｆ３＞２００。【選択図】図１
2018097341.tif 000002
【特許請求の範囲】
【請求項１】
物体側から像側まで順次に、絞りと、正屈折力を有する第１のレンズと、負屈折力を有する第２のレンズと、正屈折力を有する第３のレンズと、正屈折力を有する第４のレンズと、負屈折力を有する第５のレンズとを備える撮像光学レンズであって、
前記第１のレンズと第２のレンズの組合せ焦点距離はｆ１２であり、前記第３のレンズの焦点距離はｆ３であり、撮像光学レンズ全体の光学全長はＴＴＬであり、撮像光学レンズ全体の像高はＩＨであり、以下の関係式を満たし、前記第３のレンズの物体側面の曲率半径はｒ５であり、前記第３のレンズの像側面の曲率半径はｒ６であり、以下の関係式を満たすことを特徴とする撮像光学レンズ。
５３＜ｆ３／ｆ１２＜６８、  ＴＴＬ／ＩＨ＜１．４、
０．９５＜ｒ５／ｒ６＜１．１、  ｆ３＞２００。
【請求項２】
前記第１のレンズの焦点距離ｆ１、前記第２のレンズの焦点距離ｆ２、前記第３のレンズの焦点距離ｆ３、前記第４のレンズの焦点距離ｆ４、及び前記第５のレンズの焦点距離ｆ５は、以下の関係式を満たすことを特徴とする請求項１に記載の撮像光学レンズ。
２＜ｆ１＜３、  −６＜ｆ２＜−４、
ｆ３＞２００、  ２＜ｆ４＜３、  −２＜ｆ５＜−１。
【請求項３】
前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たすことを特徴とする請求項１に記載の撮像光学レンズ。
１．５０＜ｎ１＜１．５５、  １．５０＜ｎ２＜１．５５、
１．５０＜ｎ３＜１．５５、  １．６０＜ｎ４＜１．７０、
１．６０＜ｎ５＜１．７０。
【請求項４】
前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たすことを特徴とする請求項１に記載の撮像光学レンズ。
４０＜ｖ１＜６０、  １５＜ｖ２＜３０、
１５＜ｖ３＜３０、  ４０＜ｖ４＜６０、  ４０＜ｖ５＜６０。
【発明の詳細な説明】
【技術分野】
【０００１】
本発明は、光学レンズの分野に関し、特に、スマートフォン、デジタルカメラなどの携帯端末機器、及びモニター、ＰＣレンズなどの撮像装置に適用する撮像光学レンズに関する。
【背景技術】
【０００２】
近年、スマートフォンの発展に伴って、小型化撮影レンズのニーズが日々高くなっており、一般的な撮影レンズの感光素子は、感光結合素子（Ｃｈａｒｇｅ  Ｃｏｕｐｌｅｄ  Ｄｅｖｉｃｅ，ＣＣＤ）又は相補性金属酸化半導体素子（Ｃｏｍｐｌｅｍｅｎｔａｒｙ  Ｍｅｔａｌ−Ｏｘｉｄｅ  Ｓｅｍｉｃｏｎｄｃｔｏｒ  Ｓｅｎｓｏｒ，ＣＭＯＳ  Ｓｅｎｓｏｒ）の２種類しかほかない。また、半導体製造プロセス技術の上達に伴って、感光素子の画素サイズが小さくなり、その上、現在の電子製品は、機能が優れ且つ薄型でコンパクトであるという外形を発展傾向としているため、良好な結像品質を有する小型化撮像レンズは、既に現在市場での主流となっている。
【０００３】
良好な結像品質を得るために、従来技術において携帯電話カメラに搭載したレンズは殆ど三枚式又は四枚式レンズ構造を採用している。しかしながら、技術の発展及びユーザの多様化のニーズの増加に伴って、感光素子の画素面積が小さくなりつつあり、システムの結像品質に対する要求が高まりつつある場合、五枚式レンズ構造が徐々にレンズ設計において現れた。然しながら、従来の五枚式レンズ構造は、大部分の収差を解消することができるが、短光学レンズ全長（Ｔｏｔａｌ  Ｔｒａｃｋ  Ｌｅｎｇｔｈ，ＴＴＬ）、広角と低センシティブの設計要求に同時に達することができない。
【発明の概要】
【０００４】
上記の課題に対して、本発明は、低ＴＴＬと広角の要求を満たすと共に、部材のセンシティブを低減することができる撮像光学レンズを提供することを目的としている。
【０００５】
上記の技術課題を解決するために、本発明の実施形態は、撮像光学レンズを提供している。その撮像光学レンズは、物体側から像側まで順次に、絞りと、正屈折力を有する第１のレンズと、負屈折力を有する第２のレンズと、正屈折力を有する第３のレンズと、正屈折力を有する第４のレンズと、負屈折力を有する第５のレンズとを備え、前記第１のレンズと第２のレンズの組合せ焦点距離はｆ１２であり、前記第３のレンズの焦点距離はｆ３であり、撮像光学レンズ全体の光学全長はＴＴＬであり、撮像光学レンズ全体の像高はＩＨであり、以下の関係式を満たす。前記第３のレンズの物体側面の曲率半径はｒ５であり、前記第３のレンズの像側面の曲率半径はｒ６であり、以下の関係式を満たす。５３＜ｆ３／ｆ１２＜６８、  ＴＴＬ／ＩＨ＜１．４、  ０．９５＜ｒ５／ｒ６＜１．１、  ｆ３＞２００。
【０００６】
本発明の実施形態は、従来技術に対して、上記レンズ配置形態により、異なる屈折力と焦点距離を有するレンズを効果的に利用して収差を補正することにより結像品質を高めることができるだけでなく、更にＴＴＬと広角の要求を満たすと共に、部材のセンシティブを低減することができる。
【０００７】
また、前記第１のレンズの焦点距離ｆ１、前記第２のレンズの焦点距離ｆ２、前記第３のレンズの焦点距離ｆ３、前記第４のレンズの焦点距離ｆ４、及び前記第５のレンズの焦点距離ｆ５は、以下の関係式を満たす。２＜ｆ１＜３、−６＜ｆ２＜−４、ｆ３＞２００、  ２＜ｆ４＜３、  −２＜ｆ５＜−１。
【０００８】
また、前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たす。
１．５０＜ｎ１＜１．５５、  １．５０＜ｎ２＜１．５５、  
１．５０＜ｎ３＜１．５５、  １．６０＜ｎ４＜１．７０、  
１．６０＜ｎ５＜１．７０。
【０００９】
また、前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たす。
４０＜ｖ１＜６０、  １５＜ｖ２＜３０、  １５＜ｖ３＜３０、  
４０＜ｖ４＜６０、  ４０＜ｖ５＜６０。
【図面の簡単な説明】
【００１０】
【図１】本発明の第１の実施形態に係る撮像光学レンズの構造を示す模式図である。
【図２】図１に示す撮像光学レンズの軸上色収差を示す模式図である。
【図３】図１に示す撮像光学レンズの垂直軸色収差を示す模式図である。
【図４】図１に示す撮像光学レンズの像面湾曲及び歪みを示す模式図である。
【図５】本発明の第２の実施形態に係る撮像光学レンズの構造を示す模式図である。
【図６】図５に示す撮像光学レンズの軸上色収差を示す模式図である。
【図７】図５に示す撮像光学レンズの垂直軸色収差を示す模式図である。
【図８】図５に示す撮像光学レンズの像面湾曲及び歪みを示す模式図である。
【発明を実施するための形態】
【００１１】
本発明の目的、技術案とメリットをより明らかにするために、以下、図面を参照しながら、本発明の各実施形態を詳細に説明する。ただし、当業者にとって明らかなように、本発明の各実施形態において、読者に本発明をより良く理解させるために、多くの技術的詳細を提供している。然しながら、これらの技術的詳細及び以下の各実施形態に基づく各種の変化と修正がなくても、本発明の保護しようとする技術案も実現することができる。
【００１２】
図面を参照し、本発明は、撮像光学レンズを提供している。図１に示すのは、本発明の第１の実施例に係る撮像光学レンズ１０であり、この撮像光学レンズ１０は、５枚のレンズを備える。具体的には、前記撮像光学レンズ１０は、物体側から像側まで順次に、絞りＳｔ、第１のレンズＬ１、第２のレンズＬ２、第３のレンズＬ３、第４のレンズＬ４、及び第５のレンズＬ５を備える。第５のレンズＬ５と像面Ｓｉとの間には、光学フィルタ（ｆｉｌｔｅｒ）ＧＦなどの光学素子が設けられてもよい。
【００１３】
第１のレンズＬ１は、正屈折力を有し、その物体側面が外へ突出し凸面であり、撮像光学レンズシステムにとって必要な一部の屈折力を提供し、絞りＳｔは、被写体と第１のレンズＬ１との間に設けられている。第２のレンズＬ２は、負屈折力を有し、本実施例において、第２のレンズＬ２の像側面は凹面である。第３のレンズＬ３は、正屈折力を有し、本実施例において、第３のレンズＬ３の像側面は凸面である。第４のレンズＬ４は、正屈折力を有し、本実施例において、第４のレンズＬ４の像側面は凹面である。第５のレンズＬ５は、負屈折力を有し、本実施例において、第５のレンズＬ５の物体側面は凹面である。
【００１４】
ここで、前記第１のレンズと第２のレンズの組合せ焦点距離はｆ１２であり、前記第３のレンズの焦点距離はｆ３であり、撮像光学レンズ全体の光学全長はＴＴＬであり、撮像光学レンズ全体の像高はＩＨであるように設定し、以下の関係式を満たし、前記第３のレンズの物体側面の曲率半径はｒ５であり、前記第３のレンズの像側面の曲率半径はｒ６である。前記ｆ１２、ｆ３、ＴＴＬ、ＩＨ、ｒ５及びｒ６は、以下の関係式を満たす。
５３＜ｆ３／ｆ１２＜６８、  ＴＴＬ／ＩＨ＜１．４、  
０．９５＜ｒ５／ｒ６＜１．１、  ｆ３＞２００。
【００１５】
前記撮像光学レンズのＴＴＬと像高ＩＨは、ＴＴＬ／ＩＨ＜１．４であるように設定し、撮像光学レンズの広角化設計を効果的に実現し、光学システムの全長を短縮することができる。前記第３のレンズの焦点距離は、２００（ｍｍ）より大きいように設計され、これにより、撮像光学レンズのセンシティブを低減することに有利である。前記第３のレンズの物体側面の曲率半径と像側面の曲率半径の比例関係は、０．９５＜ｒ５／ｒ６＜１．１であるように設計され、これにより、撮像光学レンズシステムの球面収差補正に有利である。
【００１６】
本発明に係る前記撮像光学レンズ１０の焦点距離、ＴＴＬ及び像高が上記関係式を満たす場合、各レンズの屈折力の大きさの配置を制御・調整することができ、収差を補正することにより結像品質を確保すると同時に、低ＴＴＬと広角の要求を満たすと共に、部材のセンシティブを低減することができる。
【００１７】
具体的には、本発明の実施例において、前記第１のレンズの焦点距離ｆ１、前記第２のレンズの焦点距離ｆ２、前記第３のレンズの焦点距離ｆ３、前記第４のレンズの焦点距離ｆ４、前記第５のレンズの焦点距離ｆ５は、以下の関係式を満たすように設計することができる。２＜ｆ１＜３、  −６＜ｆ２＜−４、  ｆ３＞２００、  ２＜ｆ４＜３、 −２＜ｆ５＜−１、単位：ミリメートル（ｍｍ）。このように設計すれば、撮像光学レンズ１０全体の光学全長ＴＴＬをより短くし、小型化の特性を維持することができる。
【００１８】
本発明の撮像光学レンズ１０において、各レンズの材質は、ガラス又はプラスチックであってもよく、レンズの材質がガラスである場合、本発明の光学システムの屈折力配置の自由度を増大させることができ、レンズ材質がプラスチックである場合、生産コストを効果的に削減することができる。
【００１９】
本発明の実施例において、各レンズは、いずれもプラスチックレンズである。更に、本発明の好ましい実施例において、前記第１のレンズの屈折率ｎ１、前記第２のレンズの屈折率ｎ２、前記第３のレンズの屈折率ｎ３、前記第４のレンズの屈折率ｎ４、及び前記第５のレンズの屈折率ｎ５は、以下の関係式を満たす。１．５０＜ｎ１＜１．５５、    １．５０＜ｎ２＜１．５５、  １．５０＜ｎ３＜１．５５、  １．６０＜ｎ４＜１．７０、  １．６０＜ｎ５＜１．７０。このように設計すれば、レンズが材質において比較的に適切にマッチングされることには有利であり、更に、この撮像光学レンズ１０はより良い結像品質を取得することができる。
【００２０】
なお、本発明の実施例において、前記第１のレンズのアッベ数ｖ１、前記第２のレンズのアッベ数ｖ２、前記第３のレンズのアッベ数ｖ３、前記第４のレンズのアッベ数ｖ４、及び前記第５のレンズのアッベ数ｖ５は、以下の関係式を満たすように設計することができる。４０＜ｖ１＜６０、  １５＜ｖ２＜３０、  １５＜ｖ３＜３０、  ４０＜ｖ４＜６０、  ４０＜ｖ５＜６０。このように設計すれば、撮像光学レンズ１０の結像時の光学色収差現象を効果的に抑制することができる。
【００２１】
なお、レンズの表面は、非球面とされてもよく、非球面は、球面以外の形状に製造され易く、多くの制御変数を得て、収差を解消し、更にレンズの使用数を削減することができるため、本発明の撮像光学レンズの全長を効果的に短縮することができる。本発明の実施例において、全てのレンズの表面は非球面である。
【００２２】
好ましくは、前記レンズの物体側面及び／又は像側面には、高品質の結像要求を満たすために、更に反曲点及び／又は停留点が設けられてもよく、具体的な実施可能な形態は、以下の通りである。
【００２３】
以下、本発明の実施例１に係る撮像光学レンズ１０の設計データが示されている。
【００２４】
表１、表２には、本発明の実施例１に係る撮像光学レンズ１０のデータが示されている。
【００２５】
【表１】
2018097341.tif 000003
ただし、各符号の意味は以下の通りである。
ｆは撮像光学レンズ１０の焦点距離であり、
ｆ１は第１のレンズＬ１の焦点距離であり、
ｆ２は第２のレンズＬ２の焦点距離であり、
ｆ３は第３のレンズＬ３の焦点距離であり、
ｆ４は第４のレンズＬ４の焦点距離であり、
ｆ５は第５のレンズＬ５の焦点距離であり、
ｆ１２は第１のレンズＬ１と第２のレンズＬ２の組合せ焦点距離である。
【００２６】
【表２】
2018097341.tif 000004
ただし、Ｒ１、Ｒ２は第１のレンズＬ１の物体側面、像側面であり、Ｒ３、Ｒ４は第２のレンズＬ２の物体側面、像側面であり、Ｒ５、Ｒ６は第３のレンズＬ３の物体側面、像側面であり、Ｒ７、Ｒ８は第４のレンズＬ４の物体側面、像側面であり、Ｒ９、Ｒ１０は第５のレンズＬ５の物体側面、像側面であり、Ｒ１１、Ｒ１２は光学フィルタＧＦの物体側面、像側面である。その他の各符号の意味は以下の通りである。
ｄ０は絞りＳｔから第１のレンズＬ１の物体側面までの軸上距離であり、
ｄ１は第１のレンズＬ１の軸上厚みであり、
ｄ２は第１のレンズＬ１の像側面から第２のレンズＬ２の物体側面までの軸上距離であり、
ｄ３は第２のレンズＬ２の軸上厚みであり、
ｄ４は第２のレンズＬ２の像側面から第３のレンズＬ３の物体側面までの軸上距離であり、
ｄ５は第３のレンズＬ３の軸上厚みであり、
ｄ６は第３のレンズＬ３の像側面から第４のレンズＬ４の物体側面までの軸上距離であり、
ｄ７は第４のレンズＬ４の軸上厚みであり、
ｄ８は第４のレンズＬ４の像側面から第５のレンズＬ５の物体側面までの軸上距離であり、
ｄ９は第５のレンズＬ５の軸上厚みであり、
ｄ１０は第５のレンズＬ５の像側面から第６のレンズＬ６の物体側面までの軸上距離であり、
ｄ１１は光学フィルタＧＦの軸上厚みであり、
ｄ１２は光学フィルタＧＦの像側面から像面までの軸上距離であり、
ＳＡＧは円弧の高さであり、即ちレンズ面の最高点から最低点までの垂直距離であり、
ＳＡＧ１１は第１のレンズＬ１のＲ１面の円弧の高さであり、
ＳＡＧ１２は第１のレンズＬ１のＲ２面の円弧の高さであり、
ＳＡＧ２１は第２のレンズＬ２のＲ３面の円弧の高さであり、
ＳＡＧ２２は第２のレンズＬ２のＲ４面の円弧の高さであり、
ＳＡＧ３１は第３のレンズＬ３のＲ５面の円弧の高さであり、
ＳＡＧ３２は第３のレンズＬ３のＲ６面の円弧の高さであり、
ＳＡＧ４１は第４のレンズＬ４のＲ７面の円弧の高さであり、
ＳＡＧ４２は第４のレンズＬ４のＲ８面の円弧の高さであり、
ＳＡＧ５１は第５のレンズＬ５のＲ９面の円弧の高さであり、
ＳＡＧ５２は第５のレンズＬ５のＲ１０面の円弧の高さであり、
ＳＤはレンズ表面の半径のパラメータであり、
ｎｄ１は第１のレンズＬ１の屈折率であり、
ｎｄ２は第２のレンズＬ２の屈折率であり、
ｎｄ３は第３のレンズＬ３の屈折率であり、
ｎｄ４は第４のレンズＬ４の屈折率であり、
ｎｄ５は第５のレンズＬ５の屈折率であり、
ｎｄ６は光学フィルタＧＦの屈折率であり、
ｖ１は第１のレンズＬ１のアッベ数であり、
ｖ２は第２のレンズＬ２のアッベ数であり、
ｖ３は第３のレンズＬ３のアッベ数であり、
ｖ４は第４のレンズＬ４のアッベ数であり、
ｖ５は第５のレンズＬ５のアッベ数であり、
ｖ６は光学フィルタＧＦのアッベ数である。
【００２７】
本発明の実施例１において、第５のレンズＬ５の像側面から像面Ｓｉまでの間の距離は０．９０７ｍｍであり、撮像光学レンズ１０のＴＴＬは３．５８８ｍｍである。
【００２８】
表３には、本発明の実施例１の撮像光学レンズ１０における各レンズの非球面データが示されている。
【００２９】
【表３】
2018097341.tif 000005
【００３０】
表４、表５には、本発明の実施例１に係る撮像光学レンズ１０における各レンズの反曲点及び停留点の設計データが示されている。ただし、Ｒ１、Ｒ２はそれぞれ第１のレンズＬ１の物体側面と像側面を表示し、Ｒ３、Ｒ４はそれぞれ第２のレンズＬ２の物体側面と像側面を表示し、Ｒ５、Ｒ６はそれぞれ第３のレンズＬ３の物体側面と像側面を表示し、Ｒ７、Ｒ８はそれぞれ第４のレンズＬ４の物体側面と像側面を表示し、Ｒ９、Ｒ１０はそれぞれ第５のレンズＬ５の物体側面と像側面を表示する。「反曲点位置」の欄における対応するデータは、各レンズの表面に設けられた反曲点から撮像光学レンズ１０の光軸までの垂直距離である。「停留点位置」の欄における対応するデータは、各レンズの表面に設けられた停留点から撮像光学レンズ１０の光軸までの垂直距離である。
【００３１】
【表４】
2018097341.tif 000006
【００３２】
【表５】
2018097341.tif 000007
【００３３】
図２、図３には、それぞれ波長４８６ｎｍ、５８８ｎｍ、６５６ｎｍの光が実施例１の撮像光学レンズ１０を経た後の軸上色収差及び垂直軸色収差の模式図が示されている。図４には、実施例１の撮像光学レンズ１０の像面湾曲及び歪みの模式図が示されている。
【００３４】
以下、表６には、上記条件式に従って、本実施例１における各条件式に対応する値が挙げられている。明らかに、本実施例１に係る撮像光学システムは上記条件式を満たす。
【００３５】
【表６】
2018097341.tif 000008
【００３６】
本実施例において、前記撮像光学レンズの全視野像高は２．４９５ｍｍであり、対角線方向の画角は８０．９９°であり、最大視野の主光線角度（Ｃｈｉｅｆ  Ｒａｙ  Ａｎｇｌｅ，ＣＲＡ）は３５．５°である。
【００３７】
図５には、本発明の第２の実施例に係る撮像光学レンズ２０が示されている。
【００３８】
表７、表８には、本発明の実施例２に係る撮像光学レンズ２０のデータが示されている。
【００３９】
【表７】
2018097341.tif 000009
ただし、各符号の意味は以下の通りである。
ｆは撮像光学レンズ１０の焦点距離であり、
ｆ１は第１のレンズＬ１の焦点距離であり、
ｆ２は第２のレンズＬ２の焦点距離であり、
ｆ３は第３のレンズＬ３の焦点距離であり、
ｆ４は第４のレンズＬ４の焦点距離であり、
ｆ５は第５のレンズＬ５の焦点距離であり、
ｆ１２は第１のレンズＬ１と第２のレンズＬ２の組合せ焦点距離である。
【００４０】
【表８】
2018097341.tif 000010
ただし、Ｒ１、Ｒ２は第１のレンズＬ１の物体側面、像側面であり、Ｒ３、Ｒ４は第２のレンズＬ２の物体側面、像側面であり、Ｒ５、Ｒ６は第３のレンズＬ３の物体側面、像側面であり、Ｒ７、Ｒ８は第４のレンズＬ４の物体側面、像側面であり、Ｒ９、Ｒ１０は第５のレンズＬ５の物体側面、像側面であり、Ｒ１１、Ｒ１２は光学フィルタＧＦの物体側面、像側面である。その他の各符号の意味は以下の通りである。
ｄ０は絞りＳｔから第１のレンズＬ１の物体側面までの軸上距離であり、
ｄ１は第１のレンズＬ１の軸上厚みであり、
ｄ２は第１のレンズＬ１の像側面から第２のレンズＬ２の物体側面までの軸上距離であり、
ｄ３は第２のレンズＬ２の軸上厚みであり、
ｄ４は第２のレンズＬ２の像側面から第３のレンズＬ３の物体側面までの軸上距離であり、
ｄ５は第３のレンズＬ３の軸上厚みであり、
ｄ６は第３のレンズＬ３の像側面から第４のレンズＬ４の物体側面までの軸上距離であり、
ｄ７は第４のレンズＬ４の軸上厚みであり、
ｄ８は第４のレンズＬ４の像側面から第５のレンズＬ５の物体側面までの軸上距離であり、
ｄ９は第５のレンズＬ５の軸上厚みであり、
ｄ１０は第５のレンズＬ５の像側面から第６のレンズＬ６の物体側面までの軸上距離であり、
ｄ１１は光学フィルタＧＦの軸上厚みであり、
ｄ１２は光学フィルタＧＦの像側面から像面までの軸上距離であり、
ＳＡＧは円弧の高さであり、即ちレンズ面上の最高点から最低点までの垂直距離であり、
ＳＡＧ１１は第１のレンズＬ１のＲ１面の円弧の高さであり、
ＳＡＧ１２は第１のレンズＬ１のＲ２面の円弧の高さであり、
ＳＡＧ２１は第２のレンズＬ２のＲ３面の円弧の高さであり、
ＳＡＧ２２は第２のレンズＬ２のＲ４面の円弧の高さであり、
ＳＡＧ３１は第３のレンズＬ３のＲ５面の円弧の高さであり、
ＳＡＧ３２は第３のレンズＬ３のＲ６面の円弧の高さであり、
ＳＡＧ４１は第４のレンズＬ４のＲ７面の円弧の高さであり、
ＳＡＧ４２は第４のレンズＬ４のＲ８面の円弧の高さであり、
ＳＡＧ５１は第５のレンズＬ５のＲ９面の円弧の高さであり、
ＳＡＧ５２は第５のレンズＬ５のＲ１０面の円弧の高さであり、
ＳＤはレンズ表面の半径のパラメータであり、
ｎｄ１は第１のレンズＬ１の屈折率であり、
ｎｄ２は第２のレンズＬ２の屈折率であり、
ｎｄ３は第３のレンズＬ３の屈折率であり、
ｎｄ４は第４のレンズＬ４の屈折率であり、
ｎｄ５は第５のレンズＬ５の屈折率であり、
ｎｄ６は光学フィルタＧＦの屈折率であり、
ｖ１は第１のレンズＬ１のアッベ数であり、
ｖ２は第２のレンズＬ２のアッベ数であり、
ｖ３は第３のレンズＬ３のアッベ数であり、
ｖ４は第４のレンズＬ４のアッベ数であり、
ｖ５は第５のレンズＬ５のアッベ数であり、
ｖ６は光学フィルタＧＦのアッベ数である。
【００４１】
本発明の実施例２において、第５のレンズＬ５の像側面から像面Ｓｉまでの間の距離は０．８３９ｍｍであり、撮像光学レンズ２０のＴＴＬは３．５８１ｍｍである。
【００４２】
表９には、本発明の実施例２の撮像光学レンズ２０における各レンズの非球面データが示されている。
【００４３】
【表９】
2018097341.tif 000011
【００４４】
表１０、表１１には、本発明の実施例２の撮像光学レンズ２０における各レンズの反曲点及び停留点の設計データが示されている。ただし、Ｒ１、Ｒ２はそれぞれ第１のレンズＬ１の物体側面と像側面を表示し、Ｒ３、Ｒ４はそれぞれ第２のレンズＬ２の物体側面と像側面を表示し、Ｒ５、Ｒ６はそれぞれ第３のレンズＬ３の物体側面と像側面を表示し、Ｒ７、Ｒ８はそれぞれ第４のレンズＬ４の物体側面と像側面を表示し、Ｒ９、Ｒ１０はそれぞれ第５のレンズＬ５の物体側面と像側面を表示する。「反曲点位置」の欄における対応するデータは、各レンズの表面に設けられた反曲点から撮像光学レンズ２０の光軸までの垂直距離である。「停留点位置」の欄における対応するデータは、各レンズの表面に設けられた停留点から撮像光学レンズ２０の光軸までの垂直距離である。
【００４５】
【表１０】
2018097341.tif 000012
【００４６】
【表１１】
2018097341.tif 000013
【００４７】
図６、図７には、それぞれ波長４８６ｎｍ、５８８ｎｍ、６５６ｎｍの光が実施例２の撮像光学レンズ２０を経た後の軸上色収差及び垂直軸色収差の模式図が示されている。図８には、実施例２の撮像光学レンズ２０の像面湾曲及び歪みの模式図が示されている。
【００４８】
以下、表１２には、上記条件式に従って、本実施例２における各条件式に対応する値が挙げられている。明らかに、本実施例２の撮像光学システムは上記条件式を満たす。
【００４９】
【表１２】
2018097341.tif 000014
【００５０】
本実施例において、前記撮像光学レンズの全視野像高は２．４９５ｍｍであり、対角線方向の画角は８０．５１°であり，最大視野の主光線角度（Ｃｈｉｅｆ  Ｒａｙ  Ａｎｇｌｅ，ＣＲＡ）は３５．４°である。
【００５１】
当業者にとって明らかなように、上記各実施形態は、本発明を実現する具体的な実施例であり、実際な応用時に、本発明の精神と範囲から逸脱しない限り、形態や細部において各種の変更を行うことができる。
【図１】
2018097341.tif 000015
【図２】
2018097341.tif 000016
【図３】
2018097341.tif 000017
【図４】
2018097341.tif 000018
【図５】
2018097341.tif 000019
【図６】
2018097341.tif 000020
【図７】
2018097341.tif 000021
【図８】
2018097341.tif 000022